(57)【要約】      （修正有）【課題】従来の腰痛防止用サポータは、使用者に窮屈感をあたえ、着脱が難しく、腹部、背部を固定しているために、自分自身での姿勢の変更が難しく、適正な姿勢を保つことによる腰痛防止の機能を有するものがなかった。また機能も単一なもので使用者が変えることはできなかった。【解決手段】サポータの形を長楕円形などの簡易な形にして、使用時は背部のベルトの内側に差し込む方法を採用し、さらに本体を分割して、機能の異なったパーツを交換、あるいは回転できるような構造にした。これによって使用者は、立位、座位での使用によっても窮屈感を持つことなく、サポータと背骨との接触の感触から自分自身で姿勢を正せるようになり、着脱も簡単で、さらに使用者が要望に合った機能を持ったパーツを選択でき、腰痛の未然防止あるいは軽減ができる。【選択図】図１
2007130051.tif 000002
【特許請求の範囲】
【請求項１】
背面に取り付けた２本の棒状体によるベルト用ガイドを有した長方楕円の板が複数に水平分割されたパーツにより構成され、各々のパーツは中心に空けられた穴を通った心棒を軸に回転することにより表裏を入替えることができ、各々のパーツに空けられた別の穴に固定軸を挿入することにより連結を保つことを特徴とする腰当てサポーター。
【請求項２】
各々のパーツに突起物を取り付けたことを特徴とする請求項１に記載の腰当てサポーター。
【請求項３】
各々のパーツに金属性磁性体を取り付けたことを特徴とする請求項１乃至２に記載の腰当てサポーター。
【請求項４】
各々のパーツの体接触面が弾性素材で覆われたことを特徴とする請求項１乃至３に記載の腰当てサポーター。
【請求項５】
レールを有するコの字型の固定カバーのレールに、各々のパーツの両側部に設けられた溝を嵌めることにより、心棒および固定軸を必要とせず、各々のパーツを連結し、長方楕円形を保つことを特徴とした請求項１乃至４に記載の腰当てサポーター。
【発明の詳細な説明】
【技術分野】
【０００１】
本発明は、姿勢を適正に保たせることにより腰痛の防止ならびに軽減をもたらすとともに、着脱が容易で、かつ装着時にずれ難く、常用でも一時的でも使用の行いやすい腰当てサポーターに関するものである。
【背景技術】
【０００２】
従来の立位あるいは座位時に発生する腰痛の未然防止ならびに軽減の技術は、腹側部から腰部の形状に合わせて胴体全体を覆うサポーター形式のもので、ベルトと一体化したもの（例えば特許文献１）があり、あるいは腹側部から腰部を覆うもの（例えば特許文献２）があり、また追加機能的に指圧を体感させるために本体に突起物を設けた構造のもの（例えば特許文献３）がある。
【特許文献１】特許公開平９−１０２４８
【特許文献２】登録実用新案第３０７８０１１号
【特許文献３】登録実用新案第３００７１３９号
【発明の開示】
【発明が解決しようとする課題】
【０００３】
従来の技術においては作業性に重点を置いている傾向があり、静態時あるいは軽作業時における姿勢を適正に保ち生活習慣化することにより、腰痛を未然に防止ならびに軽減するという機能を具備していなかった。
【０００４】
また、従来のサポーターは装着時にすでに背骨に密着し、姿勢が規制されているので、未装着時の立位、座位などの時の自分自身の背骨の形、姿勢が認識できないので、適正な姿勢を未装着時に保つという生活習慣を身につけることはできず、サポーター使用の常用化を招き腰痛を姿勢矯正から防止することができないことになる。
【０００５】
また、腹側部から腰部あるいは胴体全体に巻きつける従来の方法では、車の運転や椅子に坐っての座業、あるいは日常の家事業務において、胴体全体に対する圧迫感があり、使用者にとって窮屈感を伴いやすい。
【０００６】
また従来のサポーターは、ズボンなどの内側すなわち身体側に巻きつけているために、着脱にズボンを脱ぐなどの手間を要し、自由に時間場所を選ばずに着脱出来なかった。
【０００７】
またズボンなどに使われているベルトは、幅が狭いために、ベルトを締め付けた場合に胸椎と腰椎の狭い部分を圧迫し、背骨を内側に前弯させているので、これも腰痛の遠因となっている（図９、図１０）。
【０００８】
更に、一つの製品は製品として完成しており、追加機能を加えることができないということは、製造者あるいは販売側の産業上の利用に広がりがもてなかった。
【課題を解決するための手段】
【０００９】
本発明である腰当てサポーターは、仙骨あるいは腰椎と胸椎との接触面を主たる支持点とし、重作業を除く日常生活の使用において、接触面の感触により姿勢を適正に保つことが出来、腰痛の未然防止ならびに軽減をさせることを特徴とする。
【００１０】
本発明である腰当てサポーターは、姿勢を適正に保つことを常態化する習慣をつけることにより、未装着時においても腰痛を未然防止ならびに軽減させることを特徴とする。
【００１１】
本発明である腰当てサポーターは、背面に取り付けたガイドを使用者のバンドの内側、すなわち身体側へ差込むだけで装着出来、脱着も簡単であるので、任意の時間、場所で、装着、脱着することが出来、腰痛を未然防止ならびに軽減させることを特徴とする。
【００１２】
また、サポーター面を分割組み立て型にすることにより、使用者のサイズや腰痛の状態に合わせてサポーター面を変更、組み合わせを可能とし、使用効果がより発揮しやすい状態とすることが出来ることを特徴とする。
【００１３】
更に、分割組み立て型の構造は、突起物や磁石や遠赤外線のみならず将来発生するであろう効果的な産物を本体の一部に組合わせる可能性をもたせ、一つの基準形から派生的な付加機能を生むことができ、製造者や販売者にとって産業的な利用価値は極めて高い。
【発明の効果】
【００１４】
本発明である腰当てサポーターは、仙骨あるいは腰椎と胸椎との２点接触あるいは平面接触で支持することから日常生活における姿勢維持が常態化され、腰痛の未然防止ならびに軽減に効果がある。
【００１５】
長時間の車の運転や事務作業において、本発明である腰当てサポーターが、椅子などの背もたれによって押され、適正な姿勢が保持されることから腰痛の未然防止ならびに軽減に効果がある。
【００１６】
老年になるにつれ体が前傾姿勢となり腰部負担が高くなっていくが、本発明である腰当てサポーターを常用することにより、老年期においても直立姿勢を保つことができる。
【００１７】
使用者の個別の状況に応じて、突起物・磁石などをサポーターの表面に、任意に組合わせることにより、腰痛防止・軽減効果をより発揮することができる。
【００１８】
使用者の個別の状況に応じて、サポーターの表面で使用したい突起物・磁石などを短時間で交換することにより、腰痛防止・軽減効果をより発揮することができる。
【００１９】
本発明である腰当てサポーターは、着脱が容易であり、必ずしも特有のベルトを必要としないなど、いつでも、どこでも容易に使えることにより、本発明の主たる目的とする適正な姿勢の保持が定着しやすい。
【発明を実施するための最良の形態】
【００２０】
本体１は長方形の両端を楕円形にした形状（以下、長方楕円と呼ぶ）を基本形とし、本体１の本体上端部１Ａが第５胸椎から第１２胸椎の間、本体下端部１Ｂが第５腰椎から第５仙骨の間を押圧する位置になるような長さとする。（図１、図６、図７、図８）。
【００２１】
本体１が上記の位置で固定されるよう、本体１の背面にガイド２を有している。本体１の背面にズボンなどに使用されるベルト３がガイド２の間に嵌ることにより固定する。ガイド２の高さはベルトがずれない程度の高さをもち、ガイド２は本体１が傾かない程度の一定の間隔をもつ。（図１、図２、図３、図６）。
【００２２】
本体１の幅は、装着時に背骨部分から外れないような幅以上で、ベルトに対する装着が困難とならないような幅、概ね肩幅の２分の１前後の幅が適切である（図６）。
【００２３】
本体１は適正な姿勢を保つことを主たる機能とすることから、縦方向のたわみが中心荷重１０キログラムの時にたわみ量が３センチ以下となるような材質および本体の厚さが適切である。
【００２４】
本体１の表面に突起物４ａを設けることにより、本発明使用時に腰部を部分的に押圧し、腰部への指圧効果を持たせることができる。特に、車の運転や椅子に坐った状態では、背もたれにより本体１が押されて、突起部４が腰部を押圧する指圧効果が高まる（図８）。
【００２５】
本体１は複数の本体パーツ１ａ〜１ｚに分解して構成することにより、使用者の要望する状態に応じた個別な対応を可能とする（図１２）。
【００２６】
本体パーツ１ａ〜１ｚは心棒６を中心に回転し、本体パーツの表面と裏面を選択して腰部に接触する面を任意に構成することができる（図２、図４、図１２）。本体パーツ１ａ〜１ｚは固定軸５により固定される（図４）。
【００２７】
本体１の両端を構成する本体パーツ１ａ、１ｚは、心棒６と固定軸５を嵌める構造となっており、中間体をなす本体パーツ１ｂ〜１ｆは心棒６と固定軸５が貫通するように心棒穴６aならびに固定軸穴５ａならびに５ｂを設けており、分解・組立てにより形状構成される構造となっている（図４、図１６、図１７、図１８）。
【００２８】
本体パーツ１ａ〜１ｚの表面に、大型突起物４ａあるいは小型突起物４ｂなどを設け、使用者のニーズに合わせて使用者は順番を入替えたり、必要でない突起物のある本体パーツを心棒５を中心に反転させ未使用状態にする（図１２、図１３、図１４、図１５）。
【００２９】
心棒６ならびに固定軸５のサイズが長いものを使用し、本体パーツ数を増やすことにより使用者の身長が高い場合にも対応できる。また、短い心棒６と固定軸５を使用することにより身長が低い使用者にも対応できる。即ち、身長の大小に対し、棒の長さと本体パーツの大きさおよび数の組み合わせで対応する。
【００３０】
本体パーツ１ａ〜１ｚはさまざまな大型突起物４ａあるいは小型突起物４ｂなどを設けることにより、個体差のある腰部のくびれや腰痛点に応じた突起物を使用者は選択し、組立て、使用することができる（図１５）。
【００３１】
本体パーツ１ａ〜１ｚを組立て、固定する方法として、本体１の両側面に固定カバー７を用いることもできる（図２１、図２２）。
【００３２】
本体パーツ１ａ〜１ｚのいずれかのパーツに金属性磁性体（永久磁石）をとりつけることにより、使用時の腰部血行促進の効果をもたらすことができる（図２０）。
【００３３】
本体１の素材を遠赤外線効果のあるセラミックを使用することにより、腰部への温熱効果ならびに血行促進を促すことができる。
【実施例１】
【００３４】
本体パーツ１ａ〜１ｚのうち、１ｂ、１ｃの突起物４ａを正面に組み立てた本体１を、１日６時間以上の長時間運転を続ける腰痛持ちのトラック運転手が１週間使用したところ、腰痛が軽くなり、長距離の運転が苦にならなくなった。
【００３５】
座業が主な事務職で腰痛持ちの女性が本体１を使用したところ、同様に１週間で腰痛が軽くなり、長時間の座業も苦にならなくなった。
【実施例２】
【００３６】
ガイド２を付設することなく、本体１に対しガイド２の間の位置に溝を作ることにより、本体１の腰部保持効果は同様に得られた。
【実施例３】
【００３７】
本体１を分割構成する本体パーツ１ａ〜１ｚの細分化は可能であるが、概ね７つプラスマイナス３個程度が組み立てるハンドリング上、効果的であった。
【実施例４】
【００３８】
本体１の両端を構成する楕円構造について、多角形であっても身体接触部に違和感を感ずることはなく、使用に耐えることが分かった。
【実施例５】
【００３９】
本体１は基本的に弾性の少ない構造であるが、背中の接触面が気になる女性の使用者にとって心棒６、固定軸５をプラスチック、グラスファイバーといった弾性のある素材を使用することにより多少の柔軟性を持たせた場合、導入時、快適に使用することができた。
【実施例６】
【００４０】
本体１の表面は基本的に弾性の少ない構造であるが、背中の接触面が気になる女性の使用者にとって、ゴム、布、スポンジなどの弾性のある素材を使用することにより、表面に多少の柔軟性を持たせた場合、導入時、快適に使用することができた。
【実施例７】
【００４１】
本体１の中心部を構成するパーツに関して、特別に厚みをもたせることにより、背中に対する腰のくびれが極端に深い人にも適切なフィット感が得られた。
【実施例８】
【００４２】
本体１のガイド２を取り去っても、仰向けに寝た状態で、装着していれば効果はあった。
【実施例９】
【００４３】
本体１とベルト３が図２３のように一体となっていて、ベルトを身体から外すことによって本体も外れるような構造にしても、腰痛の未然防止に効果があった。
【図面の簡単な説明】
【００４４】
【図１】本体の正面側からの立体図
【図２】本体の正面図
【図３】本体の側面図
【図４】本体のＢ−Ｂ′断面図
【図５】本体のＡ−Ａ′断面図
【図６】本体を立位で装着した時の背面図
【図７】本体を立位で装着した時のＣ−Ｃ′断面図
【図８】本体を座位で装着した時のＣ−Ｃ′断面図
【図９】ズボンのベルトを装着した人体の背面図
【図１０】ズボンのベルトを装着した人体のＤ−Ｄ′断面図
【図１１】突起４ａを取り付けた本体１の正面側からの立体図
【図１２】本体１のパーツの組み立てと回転を示す組み立て外観図
【図１３】パーツ１ｂ、パーツ１ｅ，パーツ１ｇに突起４ａを取り付けた本体１の正面図
【図１４】パーツ１ｄ、パーツ１ｆに突起４ｂを取り付けた本体１の背面図
【図１５】パーツ１ｂ、パーツ１ｅ，パーツ１ｇに突起４ａを取り付けパーツ１ｄ、パーツ１ｆに突起４ｂを取り付けた本体１の側面図
【図１６】パーツ１ａ、パーツ１ｚの立体図
【図１７】パーツ１ｃの立体図
【図１８】パーツ１ｂから１ｇに突起４ａを取り付けたパーツの立体図
【図１９】パーツ１ｂから１ｇに突起４ｂを取り付けたパーツの立体図
【図２０】パーツ１ｂから１ｇに金属性磁性体を取り付けたパーツの立体図
【図２１】固定カバー７によって固定された本体の正面図
【図２２】固定カバー７使用時のＥ−Ｅ′断面図
【図２３】本体とベルトの一体型の立体図
【符号の説明】
【００４５】
１          本体
１Ａ        本体上端部
１Ｂ        本体下端部
１ａ〜１ｚ  本体パーツ
２          ガイド
３          ベルト
４ａ        大型突起
４ｂ        小型突起
４ｃ        金属性磁性体
５          固定軸
５ａ、５ｂ  固定用軸穴          
６          心棒    
６ａ        心棒穴
７          固定用カバー
【図１】
2007130051.tif 000003
【図２】
2007130051.tif 000004
【図３】
2007130051.tif 000005
【図４】
2007130051.tif 000006
【図５】
2007130051.tif 000007
【図６】
2007130051.tif 000008
【図７】
2007130051.tif 000009
【図８】
2007130051.tif 000010
【図９】
2007130051.tif 000011
【図１０】
2007130051.tif 000012
【図１１】
2007130051.tif 000013
【図１２】
2007130051.tif 000014
【図１３】
2007130051.tif 000015
【図１４】
2007130051.tif 000016
【図１５】
2007130051.tif 000017
【図１６】
2007130051.tif 000018
【図１７】
2007130051.tif 000019
【図１８】
2007130051.tif 000020
【図１９】
2007130051.tif 000021
【図２０】
2007130051.tif 000022
【図２１】
2007130051.tif 000023
【図２２】
2007130051.tif 000024
【図２３】
2007130051.tif 000025
【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
縦長の方形平板を構成する複数のパーツの両端部に固定カバーの嵌合用溝を設け、該溝に縦長のコ字型固定カバーを勘着することにより各パーツを連結固定して縦長の方形平板を形成し、該方形平板に２本の棒状型ガイドを取付け、該該２本の棒状型ガイド間の凹部に腰ベルトを契合させたことを特徴とする腰背部矯正用腰当てサポータ。
【請求項２】
縦長の方形平板を構成する複数のパーツの縦方向の中心線及びその左右に対称的に貫通穴を設け、該中心線の貫通穴に心棒を挿入して各パーツを軸支し心棒を中心軸として任意のパーツを回転させて表裏を入れ替え可能とし、該中心線の左右対称に設けた貫通穴に固定棒を挿入して固定させることにより縦長の方形平板を形成し、該方形平板に２本の棒状型ガイドを取り付け該２本の棒状型ガイド間の凹部に腰ベルトを契合させたことを特徴とする腰背部矯正用腰当てサポータ。
【請求項３】
上記縦長の方形平板を構成する上下端のみ半楕円形状とし、その他は長方形状として一体型としたことを特徴とする請求項１及至請求項２に記載の腰背部矯正用腰当てサポータ。
【請求項４】
上記縦長の方形平板に円柱状突起物を脱着可能に圧入緊合したことを特徴とする請求項１及至請求項３に記載の腰背部矯正用腰当てサポータ。
【請求項５】
上記縦長の方形平板に円柱状金属製磁性体を脱着可能に圧入緊合したことを特徴とする請求項１及至請求項４に記載の腰背部矯正用腰当てサポータ。
【請求項６】
上記縦長の方形平板の腰背部側の表面部にゴム等の弾性体を取り付けたこと特徴とする請求項１及至請求項５に記載の腰背部矯正用腰当てサポータ。
【手続補正２】
【補正対象書類名】明細書
【補正対象項目名】全文
【補正方法】変更
【補正の内容】
【発明の詳細な説明】
【技術分野】
【０００１】
本発明は、姿勢を適正に保たせることにより腰痛の防止並びに軽減をもたらすと供に、着脱が容易で、かつ装着時にずれ難く、常用でも一時的でも使用の行いやすい腰当てサポータに関するものである。
【背景技術】
【０００２】
従来の立位あるいは座位時に発生する腰痛の未然防止ならびに軽減の技術は、腹側
部から腰部の形状に合わせて胴体全体を覆うサポータ形式のもので、ベルトと一体化し
たもの（例えば特許文献１）があり、あるいは腹側部から腰部を覆うもの（例えば非特許文献２）があり、また追加機能的に指圧を体感させるために本体に突起物を設けた構造のもの（例えば非特許文献３）がある。
【特許文献１】特許公開平９−１０２４８
【非特許文献２】登録実用新案第３０７８０１１号
【非特許文献３】登録実用新案第３００７１３９号
【発明の開示】
【発明が解決しようとする課題】
【０００３】
ズボンなどに使われているベルトは、幅が狭いために、ベルトを締め付けた場合に胸椎と腰椎の狭い部分を圧迫し、背骨を内側に前弯させているので、腰痛の遠因の一つとなっている（図９、図１０）。
【０００４】
従来の腰痛対策サポータの技術においては作業時の使用に重点を置いている傾向があり、静態時あるいは軽作業時における姿勢を適正に保ち生活習慣化することにより、腰痛を未然に防止ならびに軽減するという機能を具備していなかった。つまり、従来のサポータは装着時に常に背骨に密着し、姿勢が規制されているので、未装着時の立位、座位などの時の自分自身の背骨の形、姿勢が認識できないので、適正な姿勢を未装着時に保つという生活習慣を身につけることはできず、サポータ使用の常用化を招き腰痛を姿勢矯正から防止することができない傾向があった。            
【０００５】
腰当てサポータとして、腹側部から腰部あるいは胴体全体に巻きつける従来の方法では、車の運転や椅子に坐っての座業、あるいは日常の家事業務において、胴体全体に対する圧迫感があり、使用者にとって窮屈感を伴いやすかった。加えて従来のサポータは、ズボンなどの内側すなわち身体側に巻きつけているために、着脱にズボンを脱ぐなどの手間を要し、自由に時間、場所を選ばずに着脱出来なかった。
【０００６】
これらの従来の腰痛対策サポータは製品として完成しており、追加機能を加えることができず、製造者あるいは販売側の産業上の利用に広がりがもてなかった
【課題を解決するための手段】
【０００７】
本発明である腰当てサポータは、仙骨あるいは腰椎と胸椎との接触面を主たる支持点とし、重作業を除く日常生活の使用において、当接面の感触により姿勢を適正に保つことが出来、腰痛の未然防止ならびに軽減をさせ、姿勢を適正に保つことを常態化する習慣をつけることにより未装着時においても腰痛を未然防止ならびに軽減させることを特徴とする。
【０００８】
本発明である腰当てサポータは、腰背部の当接面の反対面に付設したガイドの凹部を腰バンドの内側、すなわちバンド身体側へ差込み係合するだけで装着出来、脱着も簡単であるので、任意の時間、場所で、装着、脱着することが出来る。
【０００９】
腰当てサポータ本体を分割組み立て型にすることにより、該サポータの当接面に脱着可能で、圧入緊合した円柱状突起物、金属磁石体を付設することにより、使用者の腰背部のサイズや腰痛の状態に合わせて該当接面を変更、組み合わせを可能とし、使用効果がより発揮しやすい状態とすることが出来ることを特徴とする。
【００１０】
本体の長方形平板、若しくは長方楕円平板を含む長方多角形平板、若しくはそれぞれの本体分割のパーツからなる構造の当接面に付設する脱着可能で圧入緊合した円柱状突起物、磁石や遠赤外線材料のみならず将来発生するであろう効果的な産物を本体の一部に組合わせて付設する可能性をもたせ、一つの基準形から派生的な付加機能を生むことができ、製造者や販売者にとって産業的な利用価値は極めて高い。
【発明の効果】
【００１１】
本発明である腰当てサポータは、仙骨あるいは腰椎と胸椎との２点接触あるいは平面接触で支持することから日常生活における姿勢維持が常態化され、腰痛の未然防止ならびに軽減に効果がある。
【００１２】
長時間の車の運転や事務作業において、本発明である腰当てサポータが、椅子などの背もたれによって押され、適正な姿勢が保持されることから腰痛の未然防止ならびに軽減に効果がある。特に、老年になるにつれ体が前傾姿勢となり腰部負担が高くなっていくが、本発明である腰当てサポータを常用することにより、老年期においても直立姿勢を保つことができる。
【００１３】
使用者の個別の状況に応じて、サポータの当接面に付設した突起物・磁石などを、任意に組合わせることができ  又、使用したい突起物・磁石などを短時間で交換することにより、使用する場合の使用者のニーズに容易に対応する事ができる。
【００１４】
本発明である腰当てサポータは、着脱が容易であり、必ずしも特有のベルトを必要としないなど、いつでも、どこでも容易に使えることにより、本発明の主たる目的とする矯正した姿勢の保持が定着しやすい。
【発明を実施するための最良の形態】
【００１５】
本体１は、一例として長方形の両端を楕円形にした形状（以下、長方楕円と呼ぶ）を基本形とし、該本体１の本体上端部１Ａが第５胸椎から第１２胸椎の間、本体下端部１Ｂが第５腰椎から第５仙骨の間を押圧する位置になるような長さとする。（図１、図６、図７、図８，図２４、図２５）。
【００１６】
本体１が上記の位置で固定される当接面８に対して、該本体１の背面９にガイド２を付設し、該本体１の背面にズボンなどに使用されるベルト３にガイド２の間の凹部を係合して固定する。ガイド２の高さはベルトからずれない程度の高さをもち、本体１が傾かない程度の一定の間隔をもつ。（図１、図２、図３、図６、図２４、図２５）。
【００１７】
本体１の幅は、装着時に背骨部分から外れないような幅以上で、ベルト３に対する装着が困難とならないような幅、概ね肩幅の２分の１前後の幅が適切である（図６、図９、図１０）。
【００１８】
本体１は適正な姿勢を保つことを主たる機能とすることから、縦方向のたわみが中心荷重１０キログラムの時にたわみ量が３センチ以下となるような材質および本体の厚さが適切である。      
【００１９】
本体１を複数の本体パーツ１ａ〜１ｚに分解して構成することにより、使用者の要望する状態に応じた個別な対応を可能とする。つまり、該本体パーツ１ａ〜１ｚは心棒６を中心に回転し、該本体パーツ１ａ〜１ｚの当接面８と背面９を選択して腰背部に接触する当接面８を任意に構成することができ、又、該本体パーツ１ａ〜１ｚは固定棒５により固定される（図２、図４、図５、図１２）。
【００２０】
本体１の両端を構成する本体パーツ１ａ、１ｚは、垂直方向中心軸に心棒６と該中心軸に左右対称に固定棒５を挿入固定する袋穴を設け、又、中間体をなす本体パーツ１ｂ〜１ｇは該袋穴位置と一致して、垂直方向中心軸に心棒穴６a及び中心軸左右対称の固定軸穴５a及び５ｂを設けて心棒６、固定棒５を貫通挿入して、分解・組立て固定が可能な形状を構成する（図１２、図１６、図１７、図１８）。
【００２１】
本体パーツ１ａ〜１ｚの当接面８に、大型突起物４ａあるいは小型突起物４ｂを設け、使用者のニーズに合わせて順番を入替えたり、必要でない突起物のある本体パーツを心棒６を中心に背面９側に反転させ未使用状態にして使用する。又、該大型突起物４ａ又は該小型突起物４ｂにより、個体差のある腰部のくびれや腰痛点に応じた突起物を使用者は選択し、組立て使用することができる（図１１、図１２、図１３、図１４、図１５）。
【００２２】
本体１の当接面８に脱着可能で、圧入緊合した円柱状の大型突起物４ａ及び／又は小型突起物４ｂを設けることにより、使用時に腰背部を部分的に押圧し、腰部への指圧効果を持たせることができる。例えば、車の運転や椅子に坐った状態では、背もたれにより該本体１が押されて、大型突起物４ａ及び／又は小型突起物４ｂが腰部を押圧する指圧効果が高まる（図８、図１８、図１９）。
【００２３】
心棒６ならびに固定棒５のサイズが長いものを使用し、本体パーツ数を増やすことにより使用者の身長が高い場合にも対応できる。又、短い心棒６と固定軸棒５を使用することにより身長が低い使用者にも対応できる。即ち、身長の大小に対し、棒の長さと本体パーツの大きさおよび数の組み合わせで対応する。
【００２４】
本体パーツ１ａ〜１ｚを組立て、固定する方法として、本体１の側長と一致する長さのコの字型の固定用カバー７の凹部を、各々のパーツの両端部に設けた溝に挟着することにより、心棒６、固定棒５を使用せずに、該本体パーツ１ａ〜１ｚを固定する事ができる（図２１、図２２）。
【００２５】
本体、又は本体パーツ１ａ〜１ｚのいずれかのパーツに金属性磁性体４ｃをとりつけることにより、使用時の腰部血行促進の効果をもたらすことができ、又、その素材を遠赤外線効果のあるセラミックを使用することにより、腰部への温熱効果ならびに血行促進を促すことができる。（図２０）。
【００２６】
本体１の両端を構成する楕円構造は、例えば多角形であっても身体接触部に違和感を感ずることはなく使用でき、又、該本体１とベルト３が一体となっていて、ベルトを身体から外すことによって本体１も外れるような構造にしてもよい(図２３)。
【実施例１】
【００２７】
長さ３４０ｍｍ、幅９０ｍｍ、厚さ８ｍｍの長方楕円板の下方から９５ｍｍ、１５５ｍｍの位置に幅８ｍｍ、高さ１０ｍｍ、全幅９０ｍｍのガイドを付設した本体を、座業が主な事務職で腰痛持ちの女性が本体を腰背部と腰ベルト間に挿入して、毎日５〜６時間を使用したところ、１週間後には腰痛が軽くなり、長時間の座業も苦にならなくなった。  
【００２８】
ガイドを付設することなく、本体にガイドと同じ位置に幅９０ｍｍ、深さ５ｍｍの凹溝を設けることにより、該凹溝を腰バンド等に係合することにより本体を腰背部に保持する事ができ、同様な効果が得られた。
【実施例２】
【００２９】
本体パーツ１ａ〜１ｚのうち、幅９０ｍｍ、長さ３０ｍｍの１ｂ、１ｄ、１ｇに、直径２５φｍｍ、高さ２０ｍｍのサイズで、各２個、合計６個の大型突起物４ａを腰背部の接触面に装着した本体１を、１日６時間以上の長時間運転を続ける腰痛持ちのトラック運転手が１週間使用したところ、腰痛が軽くなり、長距離の運転が苦にならなくなった。
【００３０】
本体１を分割構成する本体パーツ１ａ〜１ｚの細分化は可能であるが、概ね７つプラスマイナス３個程度が実際の使用上及び組立て上、効果的であった。
【実施例３】
【００３１】
本体１は基本的に剛性の高い素材であるが、背中の接触面が気になる使用者にとって心棒６、固定棒５をプラスチック、グラスファイバーといった弾性の高い素材を使用することにより柔軟性を持たせた場合、使用時、より快適に使用することができる場合があった。
【００３２】
本体１の表面は一般的に硬質な素材であるが、背中の接触面が気になる使用者にとって、ゴム、布、スポンジなどの弾性のある素材を腰背部の接触面表面に敷設することにより表面に柔軟性を持たせると、使用時、より快適に使用することができた。
【００３３】
本体１を構成するパーツに関して、特定のパーツに特別に厚みをもたせることにより、背中に対する腰のくびれが極端に深い人にも適切なフィット感が得られた。
【図面の簡単な説明】
【００３４】
【図１】本体の正面側からの立体図
【図２】本体の正面図
【図３】本体の側面図
【図４】本体のＢ−Ｂ′断面図
【図５】本体のＡ−Ａ′断面図
【図６】本体を立位で装着した時の背面図
【図７】本体を立位で装着した時のＣ−Ｃ′断面図
【図８】本体を座位で装着した時のＣ−Ｃ′断面図
【図９】ズボンのベルトを装着した人体の背面図
【図１０】ズボンのベルトを装着した人体のＤ−Ｄ′断面図
【図１１】大型突起物４ａを取り付けた本体１の正面側からの立体図
【図１２】本体１のパーツの組み立てと回転を示す組み立て外観図
【図１３】パーツ１ｂ、パーツ１ｅ，パーツ１ｇに大型突起物４ａを取り付けた本体１の正面図
【図１４】パーツ１ｄ、パーツ１ｆに小型突起物４ｂを取り付けた本体１の背面図
【図１５】パーツ１ｂ、パーツ１ｅ，パーツ１ｇに大型突起物４ａを取り付け、パーツ１ｄ、パーツ１ｆに小型突起物４ｂを取り付けた本体１の側面図
【図１６】パーツ１ａ、パーツ１ｚの立体図
【図１７】パーツ１ｃの立体図
【図１８】パーツ１ｂから１ｇに大型突起物４ａを取り付けたパーツの立体図
【図１９】パーツ１ｂから１ｇに小型突起物４ｂを取り付けたパーツの立体図
【図２０】パーツ１ｂから１ｇに金属性磁性体を取り付けたパーツの立体図
【図２１】固定カバー７によって固定された本体の正面図
【図２２】固定カバー７使用時のＥ−Ｅ′断面図
【図２３】本体とベルトの一体型の立体図
【図２４】本体一体型の正面側からの立体図
【図２５】本体一体型の側面図
【符号の説明】
【００３５】
１          本体
１Ａ        本体上端部
１Ｂ        本体下端部
１ａ〜１ｚ  本体パーツ
２          ガイド
３          ベルト
４ａ        大型突起物
４ｂ        小型突起物
４ｃ        金属性磁性体
５          固定棒
５ａ、５ｂ  固定軸穴
６          心棒    
６ａ        心棒穴
７          固定用カバー
８          当接面
９          背面
【手続補正３】
【補正対象書類名】図面
【補正対象項目名】全図
【補正方法】変更
【補正の内容】
【図１】
2007130051.tif 000026
【図２】
2007130051.tif 000027
【図３】
2007130051.tif 000028
【図４】
2007130051.tif 000029
【図５】
2007130051.tif 000030
【図６】
2007130051.tif 000031
【図７】
2007130051.tif 000032
【図８】
2007130051.tif 000033
【図９】
2007130051.tif 000034
【図１０】
2007130051.tif 000035
【図１１】
2007130051.tif 000036
【図１２】
2007130051.tif 000037
【図１３】
2007130051.tif 000038
【図１４】
2007130051.tif 000039
【図１５】
2007130051.tif 000040
【図１６】
2007130051.tif 000041
【図１７】
2007130051.tif 000042
【図１８】
2007130051.tif 000043
【図１９】
2007130051.tif 000044
【図２０】
2007130051.tif 000045
【図２１】
2007130051.tif 000046
【図２２】
2007130051.tif 000047
【図２３】
2007130051.tif 000048
【図２４】
2007130051.tif 000049
【図２５】
2007130051.tif 000050
【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
縦長の方形平板を構成する複数のパーツの両端部に固定カバーの嵌合用溝を設け、該溝に縦長のコ字型固定カバーを勘着することにより各パーツを連結固定して縦長の方形平板を形成し、該方形平板に２本の棒状型ガイドを取付け、該該２本の棒状型ガイド間の凹部に腰ベルトを契合させたことを特徴とする腰背部矯正用腰当てサポータ。
【請求項２】
縦長の方形平板を構成する複数のパーツの縦方向の中心線及びその左右に対称的に貫通穴を設け、該中心線の貫通穴に心棒を挿入して各パーツを軸支し心棒を中心軸として任意のパーツを回転させて表裏を入れ替え可能とし、該中心線の左右対称に設けた貫通穴に固定棒を挿入して固定させることにより縦長の方形平板を形成し、該方形平板に２本の棒状型ガイドを取り付け該２本の棒状型ガイド間の凹部に腰ベルトを契合させたことを特徴とする腰背部矯正用腰当てサポータ。
【請求項３】
上記縦長の方形平板を構成する上下端のみ半楕円形状とし、その他は長方形状として一体型としたことを特徴とする請求項１及至請求項２に記載の腰背部矯正用腰当てサポータ。
【請求項４】
上記縦長の方形平板に円柱状突起物を脱着可能に圧入緊合したことを特徴とする請求項１及至請求項３に記載の腰背部矯正用腰当てサポータ。
【請求項５】
上記縦長の方形平板に円柱状金属製磁性体を脱着可能に圧入緊合したことを特徴とする請求項１及至請求項４に記載の腰背部矯正用腰当てサポータ。
【請求項６】
上記縦長の方形平板の腰背部側の表面部にゴム等の弾性体を取り付けたこと特徴とする請求項１及至請求項５に記載の腰背部矯正用腰当てサポータ。
【手続補正２】
【補正対象書類名】明細書
【補正対象項目名】全文
【補正方法】変更
【補正の内容】
【発明の詳細な説明】
【技術分野】
【０００１】
本発明は、姿勢を適正に保たせることにより腰痛の防止並びに軽減をもたらすと供に、着脱が容易で、かつ装着時にずれ難く、常用でも一時的でも使用の行いやすい腰当てサポータに関するものである。
【背景技術】
【０００２】
従来の立位あるいは座位時に発生する腰痛の未然防止ならびに軽減の技術は、腹側
部から腰部の形状に合わせて胴体全体を覆うサポータ形式のもので、ベルトと一体化し
たもの（例えば特許文献１）があり、あるいは腹側部から腰部を覆うもの（例えば非特許文献２）があり、また追加機能的に指圧を体感させるために本体に突起物を設けた構造のもの（例えば非特許文献３）がある。
【特許文献１】特許公開平９−１０２４８
【非特許文献２】登録実用新案第３０７８０１１号
【非特許文献３】登録実用新案第３００７１３９号
【発明の開示】
【発明が解決しようとする課題】
【０００３】
ズボンなどに使われているベルトは、幅が狭いために、ベルトを締め付けた場合に胸椎と腰椎の狭い部分を圧迫し、背骨を内側に前弯させているので、腰痛の遠因の一つとなっている（図９、図１０）。
【０００４】
従来の腰痛対策サポータの技術においては作業時の使用に重点を置いている傾向があり、静態時あるいは軽作業時における姿勢を適正に保ち生活習慣化することにより、腰痛を未然に防止ならびに軽減するという機能を具備していなかった。つまり、従来のサポータは装着時に常に背骨に密着し、姿勢が規制されているので、未装着時の立位、座位などの時の自分自身の背骨の形、姿勢が認識できないので、適正な姿勢を未装着時に保つという生活習慣を身につけることはできず、サポータ使用の常用化を招き腰痛を姿勢矯正から防止することができない傾向があった。            
【０００５】
腰当てサポータとして、腹側部から腰部あるいは胴体全体に巻きつける従来の方法では、車の運転や椅子に坐っての座業、あるいは日常の家事業務において、胴体全体に対する圧迫感があり、使用者にとって窮屈感を伴いやすかった。加えて従来のサポータは、ズボンなどの内側すなわち身体側に巻きつけているために、着脱にズボンを脱ぐなどの手間を要し、自由に時間、場所を選ばずに着脱出来なかった。
【０００６】
これらの従来の腰痛対策サポータは製品として完成しており、追加機能を加えることができず、製造者あるいは販売側の産業上の利用に広がりがもてなかった
【課題を解決するための手段】
【０００７】
本発明である腰当てサポータは、仙骨あるいは腰椎と胸椎との接触面を主たる支持点とし、重作業を除く日常生活の使用において、当接面の感触により姿勢を適正に保つことが出来、腰痛の未然防止ならびに軽減をさせ、姿勢を適正に保つことを常態化する習慣をつけることにより未装着時においても腰痛を未然防止ならびに軽減させることを特徴とする。
【０００８】
本発明である腰当てサポータは、腰背部の当接面の反対面に付設したガイドの凹部を腰バンドの内側、すなわちバンド身体側へ差込み係合するだけで装着出来、脱着も簡単であるので、任意の時間、場所で、装着、脱着することが出来る。
【０００９】
腰当てサポータ本体を分割組み立て型にすることにより、該サポータの当接面に脱着可能で、圧入緊合した円柱状突起物、金属磁石体を付設することにより、使用者の腰背部のサイズや腰痛の状態に合わせて該当接面を変更、組み合わせを可能とし、使用効果がより発揮しやすい状態とすることが出来ることを特徴とする。
【００１０】
本体の長方形平板、若しくは長方楕円平板を含む長方多角形平板、若しくはそれぞれの本体分割のパーツからなる構造の当接面に付設する脱着可能で圧入緊合した円柱状突起物、磁石や遠赤外線材料のみならず将来発生するであろう効果的な産物を本体の一部に組合わせて付設する可能性をもたせ、一つの基準形から派生的な付加機能を生むことができ、製造者や販売者にとって産業的な利用価値は極めて高い。
【発明の効果】
【００１１】
本発明である腰当てサポータは、仙骨あるいは腰椎と胸椎との２点接触あるいは平面接触で支持することから日常生活における姿勢維持が常態化され、腰痛の未然防止ならびに軽減に効果がある。
【００１２】
長時間の車の運転や事務作業において、本発明である腰当てサポータが、椅子などの背もたれによって押され、適正な姿勢が保持されることから腰痛の未然防止ならびに軽減に効果がある。特に、老年になるにつれ体が前傾姿勢となり腰部負担が高くなっていくが、本発明である腰当てサポータを常用することにより、老年期においても直立姿勢を保つことができる。
【００１３】
使用者の個別の状況に応じて、サポータの当接面に付設した突起物・磁石などを、任意に組合わせることができ  又、使用したい突起物・磁石などを短時間で交換することにより、使用する場合の使用者のニーズに容易に対応する事ができる。
【００１４】
本発明である腰当てサポータは、着脱が容易であり、必ずしも特有のベルトを必要としないなど、いつでも、どこでも容易に使えることにより、本発明の主たる目的とする矯正した姿勢の保持が定着しやすい。
【発明を実施するための最良の形態】
【００１５】
本体１は、一例として長方形の両端を楕円形にした形状（以下、長方楕円と呼ぶ）を基本形とし、該本体１の本体上端部１Ａが第５胸椎から第１２胸椎の間、本体下端部１Ｂが第５腰椎から第５仙骨の間を押圧する位置になるような長さとする。（図１、図６、図７、図８，図２４、図２５）。
【００１６】
本体１が上記の位置で固定される当接面８に対して、該本体１の背面９にガイド２を付設し、該本体１の背面にズボンなどに使用されるベルト３にガイド２の間の凹部を係合して固定する。ガイド２の高さはベルトからずれない程度の高さをもち、本体１が傾かない程度の一定の間隔をもつ。（図１、図２、図３、図６、図２４、図２５）。
【００１７】
本体１の幅は、装着時に背骨部分から外れないような幅以上で、ベルト３に対する装着が困難とならないような幅、概ね肩幅の２分の１前後の幅が適切である（図６、図９、図１０）。
【００１８】
本体１は適正な姿勢を保つことを主たる機能とすることから、縦方向のたわみが中心荷重１０キログラムの時にたわみ量が３センチ以下となるような材質および本体の厚さが適切である。      
【００１９】
本体１を複数の本体パーツ１ａ〜１ｚに分解して構成することにより、使用者の要望する状態に応じた個別な対応を可能とする。つまり、該本体パーツ１ａ〜１ｚは心棒６を中心に回転し、該本体パーツ１ａ〜１ｚの当接面８と背面９を選択して腰背部に接触する当接面８を任意に構成することができ、又、該本体パーツ１ａ〜１ｚは固定棒５により固定される（図２、図４、図５、図１２）。
【００２０】
本体１の両端を構成する本体パーツ１ａ、１ｚは、垂直方向中心軸に心棒６と該中心軸に左右対称に固定棒５を挿入固定する袋穴を設け、又、中間体をなす本体パーツ１ｂ〜１ｇは該袋穴位置と一致して、垂直方向中心軸に心棒穴６a及び中心軸左右対称の固定軸穴５a及び５ｂを設けて心棒６、固定棒５を貫通挿入して、分解・組立て固定が可能な形状を構成する（図１２、図１６、図１７、図１８）。
【００２１】
本体パーツ１ａ〜１ｚの当接面８に、大型突起物４ａあるいは小型突起物４ｂを設け、使用者のニーズに合わせて順番を入替えたり、必要でない突起物のある本体パーツを心棒６を中心に背面９側に反転させ未使用状態にして使用する。又、該大型突起物４ａ又は該小型突起物４ｂにより、個体差のある腰部のくびれや腰痛点に応じた突起物を使用者は選択し、組立て使用することができる（図１１、図１２、図１３、図１４、図１５）。
【００２２】
本体１の当接面８に脱着可能で、圧入緊合した円柱状の大型突起物４ａ及び／又は小型突起物４ｂを設けることにより、使用時に腰背部を部分的に押圧し、腰部への指圧効果を持たせることができる。例えば、車の運転や椅子に坐った状態では、背もたれにより該本体１が押されて、大型突起物４ａ及び／又は小型突起物４ｂが腰部を押圧する指圧効果が高まる（図８、図１８、図１９）。
【００２３】
心棒６ならびに固定棒５のサイズが長いものを使用し、本体パーツ数を増やすことにより使用者の身長が高い場合にも対応できる。又、短い心棒６と固定軸棒５を使用することにより身長が低い使用者にも対応できる。即ち、身長の大小に対し、棒の長さと本体パーツの大きさおよび数の組み合わせで対応する。
【００２４】
本体パーツ１ａ〜１ｚを組立て、固定する方法として、本体１の側長と一致する長さのコの字型の固定用カバー７の凹部を、各々のパーツの両端部に設けた溝に挟着することにより、心棒６、固定棒５を使用せずに、該本体パーツ１ａ〜１ｚを固定する事ができる（図２１、図２２）。
【００２５】
本体、又は本体パーツ１ａ〜１ｚのいずれかのパーツに金属性磁性体４ｃをとりつけることにより、使用時の腰部血行促進の効果をもたらすことができ、又、その素材を遠赤外線効果のあるセラミックを使用することにより、腰部への温熱効果ならびに血行促進を促すことができる。（図２０）。
【００２６】
本体１の両端を構成する楕円構造は、例えば多角形であっても身体接触部に違和感を感ずることはなく使用でき、又、該本体１とベルト３が一体となっていて、ベルトを身体から外すことによって本体１も外れるような構造にしてもよい(図２３)。
【実施例１】
【００２７】
長さ３４０ｍｍ、幅９０ｍｍ、厚さ８ｍｍの長方楕円板の下方から９５ｍｍ、１５５ｍｍの位置に幅８ｍｍ、高さ１０ｍｍ、全幅９０ｍｍのガイドを付設した本体を、座業が主な事務職で腰痛持ちの女性が本体を腰背部と腰ベルト間に挿入して、毎日５〜６時間を使用したところ、１週間後には腰痛が軽くなり、長時間の座業も苦にならなくなった。  
【００２８】
ガイドを付設することなく、本体にガイドと同じ位置に幅９０ｍｍ、深さ５ｍｍの凹溝を設けることにより、該凹溝を腰バンド等に係合することにより本体を腰背部に保持する事ができ、同様な効果が得られた。
【実施例２】
【００２９】
本体パーツ１ａ〜１ｚのうち、幅９０ｍｍ、長さ３０ｍｍの１ｂ、１ｄ、１ｇに、直径２５φｍｍ、高さ２０ｍｍのサイズで、各２個、合計６個の大型突起物４ａを腰背部の接触面に装着した本体１を、１日６時間以上の長時間運転を続ける腰痛持ちのトラック運転手が１週間使用したところ、腰痛が軽くなり、長距離の運転が苦にならなくなった。
【００３０】
本体１を分割構成する本体パーツ１ａ〜１ｚの細分化は可能であるが、概ね７つプラスマイナス３個程度が実際の使用上及び組立て上、効果的であった。
【実施例３】
【００３１】
本体１は基本的に剛性の高い素材であるが、背中の接触面が気になる使用者にとって心棒６、固定棒５をプラスチック、グラスファイバーといった弾性の高い素材を使用することにより柔軟性を持たせた場合、使用時、より快適に使用することができる場合があった。
【００３２】
本体１の表面は一般的に硬質な素材であるが、背中の接触面が気になる使用者にとって、ゴム、布、スポンジなどの弾性のある素材を腰背部の接触面表面に敷設することにより表面に柔軟性を持たせると、使用時、より快適に使用することができた。
【００３３】
本体１を構成するパーツに関して、特定のパーツに特別に厚みをもたせることにより、背中に対する腰のくびれが極端に深い人にも適切なフィット感が得られた。
【図面の簡単な説明】
【００３４】
【図１】本体の正面側からの立体図
【図２】本体の正面図
【図３】本体の側面図
【図４】本体のＢ−Ｂ′断面図
【図５】本体のＡ−Ａ′断面図
【図６】本体を立位で装着した時の背面図
【図７】本体を立位で装着した時のＣ−Ｃ′断面図
【図８】本体を座位で装着した時のＣ−Ｃ′断面図
【図９】ズボンのベルトを装着した人体の背面図
【図１０】ズボンのベルトを装着した人体のＤ−Ｄ′断面図
【図１１】大型突起物４ａを取り付けた本体１の正面側からの立体図
【図１２】本体１のパーツの組み立てと回転を示す組み立て外観図
【図１３】パーツ１ｂ、パーツ１ｅ，パーツ１ｇに大型突起物４ａを取り付けた本体１の正面図
【図１４】パーツ１ｄ、パーツ１ｆに小型突起物４ｂを取り付けた本体１の背面図
【図１５】パーツ１ｂ、パーツ１ｅ，パーツ１ｇに大型突起物４ａを取り付け、パーツ１ｄ、パーツ１ｆに小型突起物４ｂを取り付けた本体１の側面図
【図１６】パーツ１ａ、パーツ１ｚの立体図
【図１７】パーツ１ｃの立体図
【図１８】パーツ１ｂから１ｇに大型突起物４ａを取り付けたパーツの立体図
【図１９】パーツ１ｂから１ｇに小型突起物４ｂを取り付けたパーツの立体図
【図２０】パーツ１ｂから１ｇに金属性磁性体を取り付けたパーツの立体図
【図２１】固定カバー７によって固定された本体の正面図
【図２２】固定カバー７使用時のＥ−Ｅ′断面図
【図２３】本体とベルトの一体型の立体図
【図２４】本体一体型の正面側からの立体図
【図２５】本体一体型の側面図
【符号の説明】
【００３５】
１          本体
１Ａ        本体上端部
１Ｂ        本体下端部
１ａ〜１ｚ  本体パーツ
２          ガイド
３          ベルト
４ａ        大型突起物
４ｂ        小型突起物
４ｃ        金属性磁性体
５          固定棒
５ａ、５ｂ  固定軸穴
６          心棒    
６ａ        心棒穴
７          固定用カバー
８          当接面
９          背面
【手続補正３】
【補正対象書類名】図面
【補正対象項目名】全図
【補正方法】変更
【補正の内容】
【図１】
2007130051.tif 000051
【図２】
2007130051.tif 000052
【図３】
2007130051.tif 000053
【図４】
2007130051.tif 000054
【図５】
2007130051.tif 000055
【図６】
2007130051.tif 000056
【図７】
2007130051.tif 000057
【図８】
2007130051.tif 000058
【図９】
2007130051.tif 000059
【図１０】
2007130051.tif 000060
【図１１】
2007130051.tif 000061
【図１２】
2007130051.tif 000062
【図１３】
2007130051.tif 000063
【図１４】
2007130051.tif 000064
【図１５】
2007130051.tif 000065
【図１６】
2007130051.tif 000066
【図１７】
2007130051.tif 000067
【図１８】
2007130051.tif 000068
【図１９】
2007130051.tif 000069
【図２０】
2007130051.tif 000070
【図２１】
2007130051.tif 000071
【図２２】
2007130051.tif 000072
【図２３】
2007130051.tif 000073
【図２４】
2007130051.tif 000074
【図２５】
2007130051.tif 000075